(57)【特許請求の範囲】
【請求項１】
互いに向き合う態様で組み付けられて電子機器の筐体を構成するケース状の第１及び第２のフレームと、
前記筐体内であって、外部に通じる隙間をもつ所定の部品実装領域に実装された板状部品と、
一方の面に線状に延びる壁状突起部が設けられ、他方の面で前記板状部品を押える板状の押え部材とを有し、
前記第１のフレームには、位置決め用のピン状リブと、前記板状部品を支持するための支持用リブとが設けられていて、
前記板状部品と前記押え部材とのそれぞれには、前記ピン状リブに対応する部位に貫通孔が設けられていて、
前記板状部品の前記貫通孔が、前記ピン状リブにはめ込まれ、その上から、前記板状部品の前記貫通孔が、前記ピン状リブにはめ込まれることで、前記板状部品が、前記支持用リブと前記押え部材とで、狭着されていると共に、
前記押え部材の前記壁状突起部が前記第２のフレームの内面に押圧当接されて、前記隙間からの異物浸入を当該壁状突起部の部位にて阻止する構成になされていることを特徴とする電子機器の板状部品実装構造。
【請求項２】
前記電子機器の筐体は、他の筐体とヒンジ部を介して相互に結合された折畳み式の電子機器の筐体であって、外部に通じる前記隙間は、前記ヒンジ部の近傍に必然的に生じる隙間であることを特徴とする請求項１記載の電子機器の板状部品実装構造。
【請求項３】
前記ピン状リブは、先細りの形状を有し、その太さは、前記板状部品の前記貫通孔を貫通する部位では、当該板状部品の貫通孔の径と略同一か又は若干細く、かつ、前記押え部材の前記貫通孔に挿入される部位では、当該押え部材の貫通孔の径と略同一か又は若干太くなるように設定されていることを特徴とする請求項１記載の電子機器の板状部品実装構造。
【請求項４】
前記ピン状リブは弾性部材からなり、前記押え部材の貫通孔は弾性的に拡開可能とされていることを特徴とする請求項１又は３記載の電子機器の板状部品実装構造。
【請求項５】
前記第１のフレームには、前記板状部品を支持するための支持手段として、前記支持用リブに加えて、弾性部材からなる支持台も設けられていることを特徴とする請求項１記載の電子機器の板状部品実装構造。
【請求項６】
前記押え部材は、前記第２のフレームの内面側に形成された押圧部位に接触して、前記第２のフレームから押圧されて弾性的に変形し、前記板状部品を押さえることを特徴とする請求項１記載の電子機器の板状部品実装構造。
【請求項７】
前記板状部品は、基板上に薄膜アンテナ素子が形成されたアンテナ装置からなることを特徴とする請求項１、５又は６記載の電子機器の板状部品実装構造。
【請求項８】
請求項１乃至７のいずれか１に記載の電子機器の板状部品実装構造を備えていることを特徴とする電子機器。
【発明の詳細な説明】
【技術分野】
【０００１】
この発明は、電子機器の板状部品実装構造及び該構造を備えた電子機器に係り、例えば携帯電話機等の電子機器の筐体内に、電子機器を構成する板状部品として、例えば、基板にアンテナ素子が形成されてなる平板状の内蔵アンテナが実装されている電子機器の板状部品実装構造、及び該構造を備えた電子機器に関する。
【背景技術】
【０００２】
従来より、無線通信機能を有する携帯型の電子機器としての携帯電話機等においては、そのアンテナは、電波放射特性の確保のために、携帯電話機本体からロッドを必要に応じて引き出して突出させた状態で用いる形式のものが一般的である。
しかしながら、突出型のアンテナでは、意匠設計上の制約が課せられる上に、例えば、落下させて破損させてしまう虞があるために、内蔵アンテナを備えた携帯電話機が普及してきている（例えば、特許文献１参照。）。
内蔵アンテナとしては、例えば樹脂成形によってモジュール化されたチップ状のものが用いられ、この内蔵アンテナは、筐体の一方の端部（上端部又は下端部）に、位置決めされた状態で格納される。内蔵アンテナは、容易に交換可能なように、筐体に対して着脱可能とされる。
【０００３】
こうした内蔵アンテナ１０１は、例えば、図７乃至図９に示すように、筐体を構成するリアケース１０２の内表面の上端側周縁部（ヒンジ部側）から内部側に突設された嵌合用リブ１０３，１０４によって、爪部１０１ａ，１０１ｂが嵌合されて、リアケース１０２の内表面に固定される。なお、内蔵アンテナ１０１の上側には、ヒンジ部側からの水分や塵埃の筐体内への侵入を防止するためのシール部材１０５が配置されている。
【０００４】
ところで、最近は、ますます、薄型化及び小型化の要請が強まっており、樹脂成形せずに、基板上に薄膜アンテナ素子が形成された内蔵アンテナが筐体内に実装された構造が採用されてきている。
こうした内蔵アンテナ２０１は、例えば、図１０に示すように、筐体を構成するリアケース２０２の内表面の上端側周縁部（ヒンジ部側）から内部側に突設され内蔵アンテナ２０１を載せて支持する支持リブ２０３，２０４と、嵌合用リブ２０５，２０６とによって、内蔵アンテナ２０１の周縁部が嵌合されて、リアケース２０２に固定される。
なお、内蔵アンテナ２０１の上側には、ヒンジ部側からの水分や塵埃の筐体内への侵入を防止するためのシール部材２０７が配置されている。
【特許文献１】特開２００３−２２９７０９号公報
【発明の開示】
【発明が解決しようとする課題】
【０００５】
解決しようとする問題点は、上記従来技術では、内蔵アンテナ２０１を嵌着させる際に、内蔵アンテナ２０１が曲げられるように無理な力がかかって、薄型の基板が容易に変形し、内蔵アンテナ２０１が損傷してしまうことがあり、信頼性の低下を招いてしまうという点である。
なお、例えば、両面テープを用いて内蔵アンテナを固定する方法も考えられるが、材料費や工程数の増加を招き、かつ、容易に交換することができない。
【０００６】
この発明は、上述の事情に鑑みてなされたもので、コストを増加させることなく、内蔵アンテナ等の電子部品を筐体に、確実に、かつ、着脱自在に固定して実装すると共に、装着時に、電子部品に無理な力がかからず、歩留まりを向上させ、信頼性を向上させることができる電子機器の板状部品実装構造及び該構造を備えた電子機器を提供することを目的としている。
【課題を解決するための手段】
【０００７】
上記課題を解決するために、請求項１記載の発明は、電子機器の板状部品実装構造に係り、互いに向き合う態様で組み付けられて電子機器の筐体を構成するケース状の第１及び第２のフレームと、上記筐体内であって、外部に通じる隙間をもつ所定の部品実装領域に実装された板状部品と、一方の面に線状に延びる壁状突起部が設けられ、他方の面で上記板状部品を押える板状の押え部材とを有し、上記第１のフレームには、位置決め用のピン状リブと、上記板状部品を支持するための支持用リブとが設けられていて、上記板状部品と上記押え部材とのそれぞれには、上記ピン状リブに対応する部位に貫通孔が設けられていて、上記板状部品の上記貫通孔が、上記ピン状リブにはめ込まれ、その上から、上記板状部品の上記貫通孔が、上記ピン状リブにはめ込まれることで、上記板状部品が、上記支持用リブと上記押え部材とで、狭着されていると共に、上記押え部材の上記壁状突起部が上記第２のフレームの内面に押圧当接されて、上記隙間からの異物浸入を当該壁状突起部の部位にて阻止する構成になされていることを特徴としている。
【０００８】
また、請求項２記載の発明は、請求項１記載の電子機器の板状部品実装構造に係り、上記電子機器の筐体が、他の筐体とヒンジ部を介して相互に結合された折畳み式の電子機器の筐体であって、外部に通じる上記隙間が、上記ヒンジ部の近傍に必然的に生じる隙間であることを特徴としている。
【０００９】
また、請求項３記載の発明は、請求項１記載の電子機器の板状部品実装構造に係り、上記ピン状リブが、先細りの形状を有し、その太さは、当該板状部品の板状部品の上記貫通孔を貫通する部位では、上記貫通孔の径と略同一か又は若干細く、かつ、上記押え部材の上記貫通孔に挿入される部位では、当該押え部材の貫通孔の径と略同一か又は若干太くなるように設定されていることを特徴としている。
【００１０】
また、請求項４記載の発明は、請求項１又は３記載の電子機器の板状部品実装構造に係り、上記ピン状リブが弾性部材からなり、上記押え部材の貫通孔が弾性的に拡開可能とされていることを特徴としている。
【００１１】
また、請求項５記載の発明は、請求項１記載の電子機器の板状部品実装構造に係り、上記第１のフレームには、上記板状部品を支持するための支持手段として、上記支持用リブに加えて、弾性部材からなる支持台も設けられていることを特徴としている。
【００１２】
また、請求項６記載の発明は、請求項１記載の電子機器の板状部品実装構造に係り、上記押え部材が、上記第２のフレームの内面側に形成された押圧部位に接触して、上記第２のフレームから押圧されて弾性的に変形し、上記板状部品を押さえることを特徴としている。
【００１３】
また、請求項７記載の発明は、請求項１、５又は６記載の電子機器の板状部品実装構造に係り、上記板状部品は、基板上に薄膜アンテナ素子が形成されたアンテナ装置からなることを特徴としている。
【００１４】
また、請求項８記載の発明は、電子機器に係り、請求項１乃至７のいずれか１に記載の電子機器の板状部品実装構造を備えていることを特徴としている。
【発明の効果】
【００１６】
この発明の構成によれば、押え部材が、筐体の内表面との間に電子部品を挟み、位置決め用の貫通孔にピン状リブが嵌め込まれた状態で、板状部品を押え付けることによって、板状部品が位置決めされた状態で固定されるので、板状部品を筐体に確実に、かつ、着脱自在に固定して実装すると共に、装着時に、板状部品に無理な力がかかることがないため、歩留まりを向上させ、信頼性を向上させることができる。
しかも、シール部材に板状部品の固定機能を兼ねさせることによって、専用の部材を必要とすることがなく、組立て時に工程を増やす必要もないので、コストを増加させることなく、かつ、作業時間を増加させることがない。
【発明を実施するための最良の形態】
【００１７】
押え部材が、筐体の内表面との間に電子部品を挟み、位置決め用の貫通孔にピン状リブが嵌め込まれた状態で、板状部品を押え付けることによって、板状部品が位置決めされた状態で固定されるので、板状部品を筐体に確実に、かつ、着脱自在に固定して実装すると共に、装着時に、板状部品に無理な力がかかることがないため、歩留まりを向上させ、信頼性を向上させる
しかも、シール部材に板状部品の固定機能を兼ねさせることによって、専用の部材を必要とすることがなく、組立て時に工程を増やす必要もないので、コストを増加させることなく、かつ、作業時間を増加させることがない。
【実施例１】
【００１８】
図１は、この発明の第１の実施例である携帯電話機におけるアンテナ実装構造を説明するための図であって、下部ユニットのリアケースにアンテナが取り付けられた状態を示す斜視図、図２は、同アンテナ実装構造を説明するための分解斜視図、図３は、同アンテナ実装構造を説明するための平面図、図４は、図３のＡ−Ａ線に沿った断面図、図５は、図４のＢ部を拡大して示す拡大断面図、また、図６は、同携帯電話機の電気的構成を示すブロック図である。
【００１９】
この例の携帯電話機１は、図１乃至図３と、図６とに示すように、上部ユニット２と下部ユニット３とが、折畳可能なようにヒンジ部で相互に結合されて構成されている。
上部ユニット２は、図６に示すように、折畳可能な扁平な筐体を構成する上部筐体に、例えば周囲の風景や人物等を撮影するための電子カメラユニット６と、例えば受話音声を出力する受話部７と、例えば着信時に着信音を出力する音声出力部８と、折畳時に内側となる側（内面側）に配設され液晶表示装置からなり例えば機能設定画面や、待受画面等が表示される主表示部９と、折畳時に外側となる側（外面側）に配設され液晶表示装置からなる補助表示部１１と、ＬＥＤを有し例えば着信時や通話時に発光する発光部１２とが実装されて概略構成されている。
【００２０】
下部ユニット３は、折畳可能な扁平な筐体を構成する下部筐体に、図１及び図６に示すように、携帯電話機本体の構成各部を制御する制御部１４と、制御部１４が実行する処理プログラムや各種データ等を記憶するための記憶部１５と、内蔵アンテナ１６と、内蔵アンテナ１６を介して無線電波の送受信を行い、所定のプロトコルに従って通話やデータ通信を行うために用いられる無線通信部１７と、数字や文字の入力操作等を行うための多数の各種操作キー等からなる操作部１８と、送話音声を入力するマイクロフォンからなる送話部１９と、振動によって例えば着信を通知するための振動部２１と、電池パックを有する電源部２２とが実装されて概略構成されている。
【００２１】
下部筐体は、共に例えばＡＢＳ樹脂等の合成樹脂成形品からなり、内面側を構成するフロントケースと、外面側を構成するリアケース２５とを有し、組み合されたフロントケースとリアケース２５とが、嵌合によって、又は雌ねじや雄ねじ等の固定具による締付けによって、制御部１４や内蔵アンテナ１６、無線通信部１７、操作部１８、送話部１９、振動部２１、電源部２２等が内部に収納され、又は取り付けられた状態で、結合されてなっている。
【００２２】
この例のアンテナ実装構造２６は、図１乃至図５に示すように、下部筐体を構成するリアケース２５の上端部（ヒンジ部側）の内表面に突設された２つの略円柱状のピン状リブ２７ａ，２７ｂが、平板状の内蔵アンテナ１６と、内蔵アンテナ１６を上方から（下部筐体のフロントケース側から）押えて固定するための平板状の押え部材２８とにそれぞれ形成された貫通孔１６ａ，１６ｂ、貫通孔２８ａ，２８ｂを貫通し、内蔵アンテナ１６が、リアケース２５の内表面から突設された支持用リブ２９ａ，２９ｂ及び支持台３１と、押え部材２８とによって挟まれ、かつ、リアケース２５がフロントケースと組み合わされ結合された状態で、内蔵アンテナ１６が、押え部材２８によって上方から押えられ、位置決めされた状態で固定されて、概略構成されている。
【００２３】
リアケース２５の上端部（ヒンジ部側）の内表面からは、２つの略円柱状のピン状リブ２７ａ，２７ｂと、内蔵アンテナ１６を下方から（リアケース２５の内表面側から）支持する支持用リブ２９ａ，２９ｂとが突設されている。
ピン状リブ２７ａ，２７ｂは、略円柱状で、根元から先端へ向かうにしたがって太さが徐々に細くなるように、その対称軸に対して稜線が若干傾いた形状に成形されている。
ピン状リブ２７ａ，２７ｂの太さは、内蔵アンテナ１６の貫通孔１６ａ，１６ｂを貫通する部位では、貫通孔１６ａ，１６ｂの径と略同一か又は若干細く、かつ、押え部材２８の貫通孔２８ａ，２８ｂを貫通する部位では、貫通孔２８ａ，２８ｂの径と略同一か又は若干太くなるように設定されている。
【００２４】
これにより、内蔵アンテナ１６が、支持用リブ２９ａ，２９ｂ及び支持台３１によって下方から支持され、その貫通孔１６ａ，１６ｂをピン状リブ２７ａ，２７ｂが貫通している状態で、貫通孔２８ａ，２８ｂをピン状リブ２７ａ，２７ｂに貫通させて、押え部材２８を内蔵アンテナ１６に近づけていくと、貫通孔２８ａ，２８ｂにピン状リブ２７ａ，２７ｂが嵌め込まれていくと共に、内蔵アンテナ１６を上方から押圧するように若干変形した状態で固定される。
なお、ピン状リブ２７ａ，２７ｂは、その先端部は丸められ、その高さは、先端が押え部材２８の貫通孔２８ａ，２８ｂから若干露出するように設定されている。
【００２５】
また、２つのピン状リブ２７ａ，２７ｂは、リアケース２５の長さ方向に沿って若干ずれた位置に（非対称な位置に）配置され、略左右対称な外観形状の内蔵アンテナ１６の裏返し状態での誤装着が防止される。
支持用リブ２９ａ，２９ｂは、内蔵アンテナ１６がリアケース２５において所定の高さ（リアケース２５の厚さ方向の位置）に配置されるように、内蔵アンテナ１６の周縁部を支持する。なお、支持用リブ２９ｂは、ピン状リブ２７ａ（２７ｂ）と一体化されて形成されている。
支持台３１は、リアケース２５の内表面側に配置され、内蔵アンテナ１６の裏面１６ｑを弾性的に支持して載置するために用いられる。支持台３１の載置面は、支持用リブ２９ａ，２９ｂの高さと略同一とされるている。支持台３１は、弾性部材からなっている。
【００２６】
押え部材２８は、内蔵アンテナ１６を上方から押えて固定するために用いられ、中央部には、ピン状リブ２７ａ，２７ｂを貫通させるための貫通孔２８ａ，２８ｂが形成されている。
この貫通孔２８ａ，２８ｂの径は、押え部材２８が配置される高さ方向の位置（リアケース２５の厚さ方向の位置）で、ピン状リブ２７ａ，２７ｂが嵌め込まれるように、ピン状リブ２７ａ，２７ｂの対応する部位の太さと略同一か又は若干小さくなるように設定されている。
押え部材２８が配置される高さ方向の位置とは、内蔵アンテナ１６の上に配置され、内蔵アンテナ１６を上方から所定の押圧力で押し付ける位置である。この位置で、押え部材２８は、貫通孔２８ａ，２８ｂにピン状リブ２７ａ，２７ｂが嵌入されて若干拡開されるように変形する。
【００２７】
押え部材２８は、例えば、シリコーンゴム等の弾性部材からなり、衝撃や曲げ力等の外力から内蔵アンテナ１６を保護するための緩衝機能を有している。また、貫通孔２８ａ，２８ｂにピン状リブ２７ａ，２７ｂが嵌め込まれた状態が維持されるように、リアケース２５（ピン状リブ２７ａ，２７ｂ）を構成する材料に対して、摺動操作によって所定値以上の摩擦力が得られる材料が選択される。
押え部材２８は、リアケース２５がフロントケースと組み合わされ結合された状態で、フロントケースの内面側に形成された押圧部位に接触して、フロントケースから押圧されて弾性的に変形し、内蔵アンテナ１６を押さえると共に、隙間を塞いで封止し、ヒンジ部側から筐体の内部に水分や塵埃が侵入するのを防止するシール機能を兼ねている。
すなわち、押え部材２８の裏面は、内蔵アンテナ１６の基板の表面１６ｐに当接する平担面２８ｐとされ、押え部材２８の表面には、フロントケースのヒンジ部近傍の開口の縁部に接触する壁状の突起部２８ｑが形成され、側方からの内部への異物の侵入が防止される。
【００２８】
内蔵アンテナ１６は、略左右対称な外観形状の比較的小型の基板上に薄膜アンテナ素子が形成されて構成され、中央部には、ピン状リブ２７ａ，２７ｂを貫通させるための貫通孔１６ａ，１６ｂが形成されている。貫通孔１６ａ，１６ｂの大きさはこの部位を貫通するピン状リブ２７ａ，２７ｂの太さと略同一か又は若干大きく設定され、ピン状リブ２７ａ，２７ｂが貫通孔１６ａ，１６ｂに嵌め込まれないようにされている。これによって、内蔵アンテナ１６に無用な外力が加わることが回避される。
無線通信部１７は、ＲＦ回路や、変復調回路、ベースバンド処理回路等からなり、音声やデータを変調して内蔵アンテナ１６を介して無線電波として送信すると共に、無線電波を内蔵アンテナ１６を介して受信して音声やデータに復調し、所定のプロトコルに従って通話やデータ通信を行うために用いられる。
【００２９】
携帯電話機本体に内蔵アンテナ１６を取り付けるには、まず、リアケース２５の内表面の所定の部位に支持台３１を固定する。リアケース２５の内表面には、支持台３１を位置決めされた状態で固定するためのピン状リブが形成され、支持台３１に形成された貫通孔にピン状リブを貫通させて支持台３１を固定する。
次に、内蔵アンテナ１６を、その裏面１６ｑをリアケース２５の内表面に向けた状態で、ピン状リブ２７ａ，２７ｂを貫通孔１６ａ，１６ｂに通して、徐々に降下させて（リアケース２５の内表面に近づけて）、裏面１６ｑを支持用リブ２９ａ，２９ｂ及び支持台３１に載せる。
【００３０】
次に、内蔵アンテナ１６が、支持用リブ２９ａ，２９ｂ及び支持台３１によって下方から支持され、その貫通孔１６ａ，１６ｂをピン状リブ２７ａ，２７ｂが貫通している状態で、貫通孔２８ａ，２８ｂをピン状リブ２７ａ，２７ｂに貫通させて、押え部材２８を内蔵アンテナ１６に近づけていく。
これにより、押え部材２８の貫通孔２８ａ，２８ｂにピン状リブ２７ａ，２７ｂが嵌め込まれていくと共に、内蔵アンテナ１６を上方から押圧するように若干変形した状態で固定される。例えば、押え部材２８は、貫通孔２８ａ，２８ｂがピン状リブ２７ａ，２７ｂが嵌入されて若干拡開されるように変形し固定される。
【００３１】
こうして、内蔵アンテナ１６をリアケース２５に固定した後、フロントケースをリアケース２５と組み合わせる。押え部材２８は、リアケース２５がフロントケースと組み合わされ結合された状態で、フロントケースの内面側に形成された押圧部位に接触して、フロントケースから押圧されて弾性的に変形し、内蔵アンテナ１６を押さえると共に、隙間を塞いで封止し、ヒンジ部側から下部筐体内部に水分や塵埃等の異物が侵入するのを防止する。
【００３２】
この例の構成によれば、内蔵アンテナ１６が、支持用リブ２９ａ，２９ｂ及び支持台３１によって下方から支持され、その貫通孔１６ａ，１６ｂをピン状リブ２７ａ，２７ｂが貫通している状態で、押え部材２８の貫通孔２８ａ，２８ｂにピン状リブ２７ａ，２７ｂを嵌め込んで、内蔵アンテナ１６を上方から押圧するように若干変形した状態で固定し、さらに、リアケース２５がフロントケースと組み合わされ結合された状態で、押え部材２８は、フロントケースの内面側に形成された押圧部位に接触して、フロントケースから押圧されて弾性的に変形し、内蔵アンテナ１６を押さえるので、内蔵アンテナ１６を確実に固定することができる。
【００３３】
かつ、内蔵アンテナ１６を装着する際は、内蔵アンテナ１６を、その裏面１６ｑをリアケース２５の内表面に向けた状態で、ピン状リブ２７ａ，２７ｂを貫通孔１６ａ，１６ｂに通して降下させ、裏面１６ｑを支持用リブ２９ａ，２９ｂ及び支持台３１に載せるのみであり、さらに、貫通孔１６ａ，１６ｂの大きさはこの部位を貫通するピン状リブ２７ａ，２７ｂの太さと略同一か又は若干大きく設定され、ピン状リブ２７ａ，２７ｂが貫通孔１６ａ，１６ｂに嵌め込まれないようにされているので、内蔵アンテナ１６に過剰な外力が加わって、無理な変形が生じることがない。したがって、内蔵アンテナ１６に損傷を与えたり破損させることがなく、歩留まりを向上させ、信頼性を向上させることができる。
【００３４】
しかも、防水及び防塵のために用いられていたシール部材に、アンテナの固定機能を付加した構成であるので、専用の部材を付加する必要とがなく、組立て時に工程を増やす必要もない。
したがって、コストを増加させることなく、かつ、作業時間を増加させることなく、さらに、機器の薄型化を妨げることなく、内蔵アンテナ１６の実装において、固定の確実化及び信頼性の向上を図ることができる。
また、内蔵アンテナ１６はリアケース２５に対して着脱可能とされているので、内蔵アンテナ１６を容易に交換することができる。例えば、両面テープ等を用いて筐体に固定する方法と異なって、取外しも交換も容易に行うことができる。
【実施例２】
【００３５】
この例が上述した第１の実施例と大きく異なるところは、ピン状リブの形状を断面略円形状に代えて断面略矩形状とした点である。
これ以外の構成は、上述した第１の実施例の構成と略同一であるので、その説明を簡略にする。
【００３６】
この例のアンテナ実装構造では、ピン状リブは、略四角垂形状（断面略矩形状）とされ、これに対応して、内蔵アンテナ及び押え部材に形成される貫通孔の形状も略矩形状とされている。
【００３７】
この例の構成によれば、上述した第１の実施例と略同様の効果を得ることができる。
加えて、位置決めを一段と確実に行うことができる。
【００３８】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、内蔵アンテナを、下部筐体の上端側（ヒンジ部側）に配置する場合について述べたが、これに限らず、内蔵アンテナを上部筐体の下端側に配置する場合にも適用することができる。
また、所定の特性を確保するために、携帯電話機の電気部品として内蔵アンテナの固定に用いて好適であるが、内蔵アンテナに限らず、他の薄型の平板状部品に対しても適用できる。
【００３９】
また、ピン状リブは、２つに限らず３つ以上設けても良いし、配置位置も内蔵アンテナの中央部に対応する位置でも周縁部に対応する位置でも良い。また、例えば、角部を有していれば、１つのみとしても良い。
また、ピン状リブの押え部材の貫通孔に嵌入される部位は、その表面粗さが比較的大きくなるように加工しておいても良い。
また、押え部材は、シール部材を兼ねなくても、アンテナ基板を専用の押え部材で固定するようにしても良い。
また、貫通孔の形状は、円形に限らず楕円形でも良いし、三角形や四角形等の多角形や、角部を有する不定形でも良い。
【００４０】
合成樹脂製の筐体を用いる場合について述べたが、合成樹脂製に限らず、例えば、マグネシウム合金製のダイカスト成形品でも良いし、他の金属製としても良いし、合成樹脂に金属を被覆した構成としても良い。
また、単に開閉のみ可能な折畳式の携帯電話機に限らず、２軸ヒンジで、上部ユニットと下部ユニットとが、互いに開閉自在で、かつ、開閉を行うための回動軸に直交する回動軸の周りにも一方のユニットが他方のユニットに対して回動自在に相互に結合された携帯電話機にも適用できるし、折畳式以外のストレートタイプの携帯電話機にも適用できる。
また、この発明のアンテナ実装構造は、本固定のために適用しても良いし、本固定に先立つ仮固定のために適用しても良い。
【産業上の利用可能性】
【００４１】
携帯端末としては、携帯電話機のほか、簡易型携帯電話（ＰＨＳ）端末や、携帯情報端末（ＰＤＡ）、携帯型のコンピュータに対して適用できる。また、電子機器として、携帯端末のほか、無線通信機能を有するコンピュータ等に対して適用できる。
【図面の簡単な説明】
【００４２】
【図１】この発明の第１の実施例である携帯電話機におけるアンテナ実装構造を説明するための図であって、下部ユニットのリアケースにアンテナが取り付けられた状態を示す斜視図である。
【図２】同アンテナ実装構造を説明するための分解斜視図である。
【図３】同アンテナ実装構造を説明するための平面図である。
【図４】図３のＡ−Ａ線に沿った断面図である。
【図５】図４のＢ部を拡大して示す拡大断面図である。
【図６】同携帯電話機の電気的構成を示すブロック図である。
【図７】従来技術を説明するための説明図であって、従来の携帯電話機におけるアンテナ実装構造を説明するための平面図である。
【図８】従来技術を説明するための説明図であって、図７のＣ−Ｃ線に沿った断面図である。
【図９】従来技術を説明するための説明図であって、図８のＤ部を拡大して示す拡大断面図である。
【図１０】従来技術を説明するための説明図であって、別の従来の携帯電話機におけるアンテナ実装構造を説明するための断面図である。
【符号の説明】
【００４３】
１      携帯電話機（電子機器）
１６      内蔵アンテナ（板状部品、アンテナ装置）
１６ａ，１６ｂ      貫通孔（貫通孔）
２５      リアケース（第１のフレーム）
２６      アンテナ実装構造（電子機器の板状部品実装構造）
２７ａ，２７ｂ      ピン状リブ
２８      押え部材
２８ａ，２８ｂ      貫通孔（位置決め孔）
２８ｑ      突起部（壁状突起部）
２９ａ，２９ｂ      支持用リブ
３１      支持台
【図１】
0004517129.tif 000002
【図２】
0004517129.tif 000003
【図３】
0004517129.tif 000004
【図４】
0004517129.tif 000005
【図５】
0004517129.tif 000006
【図６】
0004517129.tif 000007
【図７】
0004517129.tif 000008
【図８】
0004517129.tif 000009
【図９】
0004517129.tif 000010
【図１０】
0004517129.tif 000011